(57)【要約】【課題】エコーにより低下した通信回線の品位をより反映させて、データ伝送レートを的確に設定し、通信時間を短縮化する。【解決手段】勧告Ｖ．８通信手順のフェーズ２でシンボル伝送レートを選択して設定するだけではなく、電話回線２のＳ／Ｎに対応するデータの制限伝送レートを選択しておき、フェーズ４で決定されるデータ伝送レートを該制限伝送レートにより制限している。このため、電話回線２のＳ／Ｎの測定に際し、この測定に用いられる各プロービング信号Ｌ１，Ｌ２に該各信号もしくは他の信号のエコーが重畳して、電話回線２のＳ／Ｎが低下していれば、このＳ／Ｎに対応する制限伝送レートも低くなり、データ伝送レートが低く抑えられる。【選択図】図４
2004032401.tif 000002
【特許請求の範囲】
【請求項１】
データ伝送用の通信回線の品位を測定する測定手段と、この測定手段により測定された通信回線の品位に応じた通信条件を設定する通信条件設定手段とを備える通信装置において、
通信回線の品位に対応するデータの制限伝送レート特性を記憶した記憶手段と、
記憶手段内のデータの制限伝送レート特性に基づいて、測定手段により測定された通信回線の品位に対応するデータの制限伝送レートを設定し、この設定したデータの制限伝送レートを用いて、通信条件設定手段により設定された通信条件を制限する通信条件制限手段と
を備えることを特徴とする通信装置。
【請求項２】
通信条件制限手段による通信条件の制限は、データ伝送に先立って行われることを特徴とする請求項１に記載の通信装置。
【請求項３】
通信条件制限手段による通信条件の制限は、データ伝送中に行われることを特徴とする請求項１に記載の通信装置。
【発明の詳細な説明】
【０００１】
【発明の属する技術分野】
本発明は、通信回線の品位に応じて通信条件を設定する通信装置に関する。
【０００２】
【従来の技術】
周知の様に、ファクシミリ通信を行う場合には、例えばＩＴＵ−Ｔ（国際電気通信連合−電気通信標準化部門）の勧告Ｖ．１７等に準拠した変復調装置を用い、ＩＴＵ−Ｔの勧告Ｔ．３０に準拠する通信手順を用いる。
【０００３】
更に、近年は、ＩＴＵ−Ｔの勧告Ｖ．３４に準拠した最大通信速度３３．６Ｋｂｐｓの超高速通信が実用化されており、この勧告Ｖ．３４については、ＩＴＵ−Ｔの勧告Ｖ．８通信手順により受信側で画像通信の前に通信回線の品位に応じた通信条件を設定することができる。例えば、通信回線のＳ／Ｎや帯域幅等に応じてデータ伝送レート及びシンボル伝送レートを選択して設定することができる。また、画像通信の途中であっても、通信回線のＳ／Ｎや帯域幅等が変化して良好になると、データ伝送レートを上げることができる。
【０００４】
図７は、勧告Ｖ．８通信手順、及び該通信手順に引き続く勧告Ｔ．３０通信手順を示している。勧告Ｖ．８通信手順は、４段階の各フェーズ１〜４に別れている。
【０００５】
フェーズ１では、送受信装置の相互能力の確認が行われる。発呼側の送信装置は、受信装置が発呼に応答すると、発呼トーン信号ＣＮＧ又は機能表示信号ＣＩを送信する。着呼側の受信装置は、これらの信号を受信すると、勧告Ｖ．８通信手順を行い得ることを示す変形応答トーン信号ＡＮＳａｍを送信する。送信装置は、この変形応答トーン信号ＡＮＳａｍを受信すると、自己のモデムの能力を示す起呼メニュー信号ＣＭを送信する。受信装置は、この起呼メニュー信号ＣＭを受信すると、送受信装置のモデムが共有し得る最高の能力を選択し、この最高の能力を示す共通メニュー信号ＪＭを送信する。これに応答して、送信装置から受信装置へとＣＭ終端信号ＣＪを送受して、このフェーズ１を終了する。
【０００６】
フェーズ２では、送受信装置間の信号ＩＮＦＯの送受により、モデム能力、回線プロービングの結果、データモード変調のパラメータ等が交換され、各トーン信号Ａ，Ｂの送受が行われる。引き続いて、通信回線の品位を測定するラインプロービングが行われる。具体的には、送信装置から受信装置へと各プロービング信号Ｌ１，Ｌ２が送受され、受信装置側で、通信回線のＳ／Ｎや帯域幅等が判定されて、この判定結果に応じたモデム能力、回線プロービングの結果、データモード変調のパラメータが設定され、送受信装置間の信号ＩＮＦＯの再度の送受により、モデム能力、回線プロービングの結果、データモード変調のパラメータ等が授受される。このとき、受信装置側でシンボル伝送レートも設定されて、送受信装置間で該シンボル伝送レートが授受される。
【０００７】
フェーズ３では、送信装置から受信装置へとトレーニング信号ＴＲＮが送受されて、受信装置側でトレーニング信号ＴＲＮのＥＱＭ（アイ・クオリティ・モニタ）が行われ、この結果を示すＥＱＭ値に基づいてデータ伝送レートが設定される。
【０００８】
フェーズ４では、送受信装置間で速度変更要求信号ＰＰｈが送受され、最終的に速度指定信号ＭＰｈが送受されて、データのレートが決定される。そして、このフェーズ４に引き続いて、勧告Ｔ．３０通信手順が行われ、この後に勧告Ｖ．３４の最大通信速度３３．６Ｋｂｐｓの超高速通信が行われる。
【０００９】
この様に画像通信の前手順の勧告Ｖ．８通信手順においては、シンボル伝送レート及びデータ伝送レートを設定することができる。また、画像通信の途中であっても、通信回線のＳ／Ｎや帯域幅等が変化して良好になると、データ伝送レートを上げることができる。
【００１０】
尚、通信回線のＳ／Ｎは、ホワイトノイズと受信信号を検出して求められる（例えば特開平５−１１０８０３号公報を参照）。また、通信データのＥＱＭは、通信データの位相及び振幅のずれを測定することである（例えば特開平１０−２４８００６号公報を参照）。例えば、Ｇ３等のアナログファクシミリ通信には、位相及び振幅の直交変調が適用される。この直交変調では、ビットにより示されるバイナリデータが位相及び振幅を表す極座標上の点に割り当てられ、この点がアイ・ポイントである。ＥＱＭは、正規のアイポイントからの通信データのビットの位置ずれを測定する。
【００１１】
【発明が解決しようとする課題】
ところで、勧告Ｖ．８通信手順のフェーズ３では、送受信装置間でトレーニング信号ＴＲＮを送受してＥＱＭが行われるものの、このＥＱＭに際し、トレーニング信号ＴＲＮの受信期間中に、他の信号のエコーが通信回線に発生すると、受信装置側で求められたＥＱＭ値が変化する。ただし、このエコーが時間の経過に伴ってランダムに変化することから、ＥＱＭに際し、エコーが受信されなければ、ＥＱＭ値が良好となる。一方、画像通信は、長時間を要するので、エコーの影響を必ず受けて、そのＳ／Ｎが低くなる。このため、フェーズ３でのＥＱＭ値が良好であっても、画像通信中のＳ／Ｎが低くなることがある。そして、フェーズ３でのＥＱＭ値が良好である程、データ伝送レートが高く設定されるので、画像通信中にＳ／Ｎがエコーの影響で僅かでも低くなると、画像の通信エラーが直ちに発生する。
【００１２】
このため、勧告Ｖ．３４通信手順では、画像通信の途中であっても、通信回線の品位が低下すると、データ伝送レートを下げて、画像の通信エラーを防止している。しかしながら、通常は、予め設定された複数段階のデータ伝送レートを例えば１段階ずつ下げて、その度に、画像通信をやり直すので、通信時間が長くなった。
【００１３】
また、特開平７−２０３１６９号公報では、通信回線のエコー信号を測定し、このエコー信号のレベルに応じて通信速度を設定し、これにより通信エラーを防止するという技術が開示されている。しかしながら、エコー信号を検出する格別な回路を必要とし、装置の複雑化やコストの上昇を招いた。
【００１４】
そこで、本発明は、上記従来の問題点に鑑みてなされたものであり、装置の複雑化を招くことなく、エコーにより低下した通信回線の品位をより反映させて、データ伝送レートを的確に設定し、通信時間を短縮化することが可能な通信装置を提供することを目的とする。
【００１５】
【課題を解決するための手段】
上記課題を解決するために、本発明は、データ伝送用の通信回線の品位を測定する測定手段と、この測定手段により測定された通信回線の品位に応じた通信条件を設定する通信条件設定手段とを備える通信装置において、通信回線の品位に対応するデータの制限伝送レート特性を記憶した記憶手段と、記憶手段内のデータの制限伝送レート特性に基づいて、測定手段により測定された通信回線の品位に対応するデータの制限伝送レートを設定し、この設定したデータの制限伝送レートを用いて、通信条件設定手段により設定された通信条件を制限する通信条件制限手段とを備えている。
【００１６】
この様な構成の本発明によれば、通信回線の品位に対応するデータの制限伝送レートを設定し、この設定したデータの制限伝送レートを用いて、通信条件を制限している。通信回線の品位は、例えばファクシミリ通信における通信回線のＳ／ＮやＥＱＭ値に相当する。また、通信条件は、例えばファクシミリ通信におけるデータ伝送レートに相当する。従って、本発明では、例えば通信回線のＳ／ＮやＥＱＭ値に対応するデータの制限伝送レートを上限として、データ伝送レートを制限することになる。通信回線のＳ／ＮやＥＱＭ値の測定は、既存の通信装置で適時に行われている。このため、装置の複雑化を招くことなく、エコーにより低下した通信回線のＳ／ＮやＥＱＭ値を適時に測定しつつ、データ伝送レートの上限を設定することができ、これにより画像通信エラーを確実に防止して通信時間を短縮化することができる。
【００１７】
また、本発明においては、通信条件制限手段による通信条件の制限は、データ伝送に先立って行われている。
【００１８】
この様に通信条件の制限をデータ伝送に先立って行えば、通信エラーを未然に防止することができる。
【００１９】
更に、本発明においては、通信条件制限手段による通信条件の制限は、データ伝送中に行われている。
【００２０】
この様に通信条件の制限をデータ伝送中に行えば、通信エラーを随時防止することができる。
【００２１】
【発明の実施の形態】
以下、本発明の実施形態を添付図面を参照して詳細に説明する。
【００２２】
図１は、本発明を適用した第１実施形態のファクシミリ通信装置を示すブロック図である。本実施形態のファクシミリ通信装置１は、このファクシミリ通信装置１と電話回線２間の接続制御を行う網制御部（ＮＣＵ）３と、Ｇ３のモデム機能を実行するためのＦＡＸモデム４と、画像データを符号化圧縮したり、復号化により元の画像データを得るための符号化復号化部（ＤＣＲ）５と、各種の制御プログラムやデータテーブルを記憶するシステムメモリ６と、各種のデータを一時的に記憶したり、ワークエリアとして用いられるＲＡＭ７と、原稿の画像を読取るスキャナ８と、画像を記録用紙に印刷する印字部９と、複数の操作キーやスイッチ及び液晶表示ユニット等を有する操作表示部１１と、符号化圧縮された画像データを記憶する画像メモリ１２と、画像データに種々の処理を施す画像処理部１３と、このファクシミリ通信装置１内で各種のデータ等を送受するためのバス１４と、このファクシミリ通信装置１を統括的に制御する制御部１５とを備えている。
【００２３】
ＦＡＸモデム４は、より詳しくは、通信手順を示す各種の信号を授受するための低速モデム機能（Ｖ．２１のモデム）や、符号化圧縮された画像データを授受するための高速モデム機能（Ｖ．３３モデム、Ｖ．２９モデム、Ｖ．２７ｔｅｒモデム）を備えており、更にＩＴＵ−Ｔの勧告Ｖ．８、勧告Ｔ．３０、勧告Ｖ．３４等の通信手順をＮＣＵ３を通じて実行したり、電話回線２のＳ／Ｎや通信データのＥＱＭ値等を測定することができる。
【００２４】
図２は、このファクシミリ通信装置１による通信の実行のときに用いられる通信条件設定テーブル２１を示している。この通信条件設定テーブル２１は、複数段階のシンボル伝送レート（ｓｙｍ／ｓ）毎に、複数段階のデータ伝送レート（ｂｉｔ／ｓ）を記録したものである。例えば、シンボル伝送レート２４００（ｓｙｍ／ｓ）については、各段階のデータ伝送レート２４００、４８００、……（ｂｉｔ／ｓ）を記録している。また、シンボル伝送レート２７４６（ｓｙｍ／ｓ）については、各段階のデータ伝送レート４８００、７２００、……（ｂｉｔ／ｓ）を記録している。この通信条件設定テーブル２１は、システムメモリ６に格納されている。
【００２５】
図３は、このファクシミリ通信装置１による通信の実行のときに用いられるＳ／Ｎ対応通信条件制限テーブル２２を示している。このＳ／Ｎ対応通信条件制限テーブル２２は、複数段階のＳ／Ｎ範囲に対応してそれぞれのデータの制限伝送レート（ｂｉｔ／ｓ）を記録したものである。例えば、１５（ｄｂ）以下のＳ／Ｎ範囲に対応してデータの制限伝送レート７２００（ｂｉｔ／ｓ）を記録している。また、１６〜２０（ｄｂ）のＳ／Ｎ範囲に対応してデータの制限伝送レート１６８００（ｂｉｔ／ｓ）を記録している。このＳ／Ｎ対応通信条件制限テーブル２２は、システムメモリ６に格納されている。
【００２６】
この様な構成のファクシミリ通信装置１においては、図４に示すフローチャートに従ってファクシミリ通信を実行することにより、電話回線２に信号のエコーが発生したとしても、このエコーにより低下した電話回線２のＳ／Ｎを適時に測定し、この電話回線２のＳ／Ｎに応じたデータ伝送レートの上限を設定し、これにより画像データの通信エラーを確実に防止している。次に、このファクシミリ通信の手順を述べる。
【００２７】
まず、ファクシミリ通信装置１では、電話回線２を通じての着呼を待機しており（ステップＳ１０１で「Ｎｏ」）、ＮＣＵ３で着呼を検出すると（ステップＳ１０１で「Ｙｅｓ」）、ＮＣＵ３がＦＡＸモデム４を起動する。ＦＡＸモデム４は、着呼に応答して起動されると、ステップＳ１０２以降の処理に移って、勧告Ｖ．８通信手順、及び該通信手順に引き続く勧告Ｔ．３０通信手順を開始し、ＮＣＵ３及び電話回線２を通じて発呼側のファクシミリ通信装置との間で各種の信号を送受する。勧告Ｖ．８通信手順は、次の様な４段階の各フェーズ１〜４に別れている。
【００２８】
フェーズ１では、発呼側のファクシミリ通信装置から着呼側のファクシミリ通信装置１へと受信発呼トーン信号ＣＮＧ又は機能表示信号ＣＩを送信し、これに応答して着呼側のファクシミリ通信装置１から発呼側のファクシミリ通信装置へと勧告Ｖ．８通信手順を行い得ることを示す変形応答トーン信号ＡＮＳａｍを送信する。そして、発呼側のファクシミリ通信装置から着呼側のファクシミリ通信装置１へと発呼側のモデムの能力を示す起呼メニュー信号ＣＭを送信し、これに応答して着呼側のファクシミリ通信装置１から発呼側のファクシミリ通信装置へと該各装置のモデムが共有し得る最高の能力を示す共通メニュー信号ＪＭを送信し、更に発呼側のファクシミリ通信装置から着呼側のファクシミリ通信装置１へとＣＭ終端信号ＣＪを送信して、このフェーズ１を終了する（ステップＳ１０２）。
【００２９】
フェーズ２では、着呼側のファクシミリ通信装置１と発呼側のファクシミリ通信装置間の信号ＩＮＦＯの送受により、モデム能力、回線プロービングの結果、データモード変調のパラメータ等が交換され、各トーン信号Ａ，Ｂの送受が行われる。引き続いて、発呼側のファクシミリ通信装置から着呼側のファクシミリ通信装置１へと各プロービング信号Ｌ１，Ｌ２が送受され、着呼側のファクシミリ通信装置１側で、電話回線２のＳ／Ｎや帯域幅等が測定されて、この測定結果に応じたモデム能力、回線プロービングの結果、データモード変調のパラメータが設定され、該各装置間の信号ＩＮＦＯの再度の送受により、モデム能力、回線プロービングの結果、データモード変調のパラメータ等が授受される。このとき、着呼側のファクシミリ通信装置１において、ＦＡＸモデム４は、システムメモリ６内の通信条件設定テーブル２１を参照し、電話回線２のＳ／Ｎや帯域幅等に応じたシンボル伝送レートを選択して設定し、このシンボル伝送レートを発呼側のファクシミリ通信装置に通知する。例えば、電話回線２のＳ／Ｎや帯域幅等に対応する電話回線２の品位が高くなる程、シンボル伝送レートを高く設定する。また、着呼側のファクシミリ通信装置１のＦＡＸモデム４は、システムメモリ６内のＳ／Ｎ対応通信条件制限テーブル２２を参照し、電話回線２のＳ／Ｎに対応するデータの制限伝送レートを選択して設定する（各ステップＳ１０３〜Ｓ１０５）。
【００３０】
ここでは、ステップＳ１０３でシンボル伝送レート３２００（ｓｙｍ／ｓ）が選択されたものとする。また、ステップＳ１０４で電話回線２のＳ／Ｎ１８（ｄｂ）に対応するデータの制限伝送レート２１６００（ｂｉｔ／ｓ）が選択されたものとする。
【００３１】
フェーズ３では、発呼側のファクシミリ通信装置から着呼側のファクシミリ通信装置１へとトレーニング信号ＴＲＮが送受されて、着呼側のファクシミリ通信装置１でトレーニング信号ＴＲＮのＥＱＭが行われ、この結果を示すＥＱＭ値に基づいてデータ伝送レートが設定される（ステップＳ１０６）。
【００３２】
フェーズ４では、着呼側のファクシミリ通信装置１と発呼側のファクシミリ通信装置間で速度変更要求信号ＰＰｈが送受され、最終的に速度指定信号ＭＰｈが送受されて、データのレートが決定される（ステップＳ１０７）。このとき、通信条件設定テーブル２１において、ステップＳ１０３で選択されたシンボル伝送レート３２００（ｓｙｍ／ｓ）に対応するデータの各伝送レート４８００〜３１２００（ｂｉｔ／ｓ）のうちから、ステップＳ１０４で選択されたデータの制限伝送レート２１６００（ｂｉｔ／ｓ）以下のものが選択され、この選択されたデータ伝送レートに決定される。つまり、データ伝送レートがデータの制限伝送レート２１６００（ｂｉｔ／ｓ）により制限される。
【００３３】
この後に、勧告Ｔ．３０通信手順が行われ、更に勧告Ｖ．３４通信手順に従って、ステップＳ１０３で選択されたシンボル伝送レート及びステップＳ１０７で決定されたデータ伝送レートで、発呼側のファクシミリ通信装置から着呼側のファクシミリ通信装置１へと画像データが送受される（ステップＳ１０８）。着呼側のファクシミリ通信装置１では、画像データを画像メモリ１２に一旦記憶し、この画像データを印字部９に与える。印字部９は、該画像データによって示される画像を記録用紙に記録する。そして、ＮＣＵ３は、画像データの通信を終了すると、電話回線２を切断する（ステップＳ１０９）。
【００３４】
この様に本実施形態のファクシミリ通信装置１では、勧告Ｖ．８通信手順のフェーズ２でシンボル伝送レートを選択して設定するだけではなく、電話回線２のＳ／Ｎに対応するデータの制限伝送レートを選択しておき、フェーズ４で決定されるデータ伝送レートを該制限伝送レートにより制限している。このため、電話回線２のＳ／Ｎの測定に際し、この測定に用いられる各プロービング信号Ｌ１，Ｌ２に該各信号もしくは他の信号のエコーが重畳して、電話回線２のＳ／Ｎが低下していれば、このＳ／Ｎに対応する制限伝送レートも低くなり、データ伝送レートが低く抑えられる。これにより、画像データの通信エラーを確実に防止して通信時間を短縮化することができる。
【００３５】
図５は、本発明の第２実施形態のファクシミリ通信装置による通信手順を示すフローチャートである。尚、本実施形態のファクシミリ通信装置は、図１のファクシミリ通信装置１と同様の構成である。
【００３６】
また、図６は、本実施形態のファクシミリ通信装置による通信の実行のときに用いられるＥＱＭ値対応通信条件制限テーブル２３を示している。このＥＱＭ値対応通信条件制限テーブル２３は、複数段階のＥＱＭ値範囲に対応してそれぞれのデータの制限伝送レート（ｂｉｔ／ｓ）を記録したものである。例えば、２０００以上のＥＱＭ値範囲に対応してデータの制限伝送レート７２００（ｂｉｔ／ｓ）を記録している。また、１９９９〜１７００（ｄｂ）のＥＱＭ値範囲に対応してデータの制限伝送レート９６００（ｂｉｔ／ｓ）を記録している。このＥＱＭ値対応通信条件制限テーブル２３は、システムメモリ６に格納されている。
【００３７】
ここで、図１のファクシミリ通信装置１では、フェーズ２でのＳ／Ｎの測定に際し、この測定に用いられる各プロービング信号Ｌ１，Ｌ２に該各信号もしくは他の信号のエコーが重畳すること、つまり各プロービング信号Ｌ１，Ｌ２がエコーの影響を受けることを前提としているものの、エコーの影響を受けないこともあり得る。
【００３８】
そこで、本実施形態のファクシミリ通信装置では、フェーズ２で電話回線２のＳ／Ｎに対応するデータの制限伝送レートを選択して設定するだけではなく、勧告Ｖ．３４等の通信手順に従って画像データの通信中にＥＱＭを行いつつ、この結果を示すＥＱＭ値が悪化すると、ＥＱＭ値対応通信条件制限テーブル２３を参照して、データの制限伝送レートをより低くして、データ伝送レートをより低く抑え、画像データの通信エラーをより確実に防止している。次に、図５に示すフローチャートに従って、このファクシミリ通信装置による通信手順を述べる。
【００３９】
まず、各ステップＳ１０１〜Ｓ１０８の処理は、図４のファクシミリ通信手順と同様であって、フェーズ２でシンボル伝送レートを設定すると共に、電話回線２のＳ／Ｎに対応するデータの制限伝送レートを選択し、フェーズ４で決定されるデータ伝送レートを該制限伝送レートにより制限し、これらのシンボル伝送レート及びデータ伝送レートで、発呼側のファクシミリ通信装置から着呼側のファクシミリ通信装置１への画像データの送受を開始する。
【００４０】
着呼側のファクシミリ装置（図１に示す）において、ＦＡＸモデム４は、画像データの通信中に、勧告Ｖ．３４等の通信手順に従ってＥＱＭを行い（ステップＳ２０１）、この結果を示すＥＱＭ値に基づいて、画像データの通信に用いられているデータ伝送レートが適確か否かを判定する（ステップＳ２０２）。そして、データ伝送レートが適確であれば（ステップＳ２０２で「Ｙｅｓ」）、画像データの受信が終了したか否かを判定し（ステップＳ２０３）、画像データの受信が終了すれば（ステップＳ２０３で「Ｙｅｓ」）、ＮＣＵ３の制御により電話回線２を切断する（ステップＳ２０４）。従って、画像データの通信に用いられているデータ伝送レートが適確であれば、このデータ伝送レートが変更されずに、画像データの通信を終了することになる。
【００４１】
また、データ伝送レートが適確でなければ（ステップＳ２０２で「Ｎｏ」）、着呼側のファクシミリ装置のＦＡＸモデム４は、システムメモリ６内のＥＱＭ値対応通信条件制限テーブル２３を参照し、ＥＱＭ値に対応するデータの制限伝送レートを選択して、データの制限伝送レートを更新し（ステップＳ２０５）、この更新されたデータの制限伝送レートをＮＣＵ３及び電話回線２を通じて発呼側のファクシミリ通信装置に通知する（ステップＳ２０６）。これにより、着呼側及び発呼側の各ファクシミリ通信装置のいずれにおいても、データの制限伝送レートが更新され、この制限伝送レート以下にデータ伝送レートが制限される。例えば、フェーズ２でデータの制限伝送レート２１６００（ｂｉｔ／ｓ）が選択され、この制限伝送レート２１６００（ｂｉｔ／ｓ）以下にデータ伝送レートが制限されていたにもかかわらず、ステップＳ２０５でＥＱＭ値１８００に対応する９６００（ｂｉｔ／ｓ）にデータの制限伝送レートが更新されたならば、この制限伝送レート９６００（ｂｉｔ／ｓ）以下にデータ伝送レートが改めて制限されることになる。
【００４２】
この後に、ステップＳ１０３で選択されたシンボル伝送レート及びステップＳ２０５で制限されたデータ伝送レートで、発呼側のファクシミリ通信装置から着呼側のファクシミリ通信装置１へと画像データが送受される（ステップＳ２０７）。
【００４３】
そして、画像データの受信が終了していなければ（ステップＳ２０３で「Ｎｏ」）、ステップＳ２０１からの処理を繰り返し、画像データの受信が終了すれば（ステップＳ２０３で「Ｙｅｓ」）、ＮＣＵ３の制御により電話回線２を切断する（ステップＳ２０４）。
【００４４】
この様に本実施形態のファクシミリ通信装置では、画像データの通信中にＥＱＭ値が悪化すると、データの制限伝送レートをより低くしている。このため、画像データに該画像データもしくは他の信号のエコーが重畳して、ＥＱＭ値が悪化すれば、データの制限伝送レートがより低くなり、データ伝送レートがより低く抑えられることになる。これにより、画像データの通信エラーをより確実に防止して通信時間を短縮化することができる。
【００４５】
尚、本発明は、上記各実施形態に限定されるものではなく、多様に変形することができる。例えば、通信条件設定テーブル２１、Ｓ／Ｎ対応通信条件制限テーブル２２、及びＥＱＭ値対応通信条件制限テーブル２３の内容を適宜に変更しても構わない。また、Ｓ／Ｎ対応通信条件制限テーブル２２の代わりに、Ｓ／Ｎに対応するデータの制限伝送レート特性を示す関数を用いて、データの制限伝送レートを導出したり、ＥＱＭ値対応通信条件制限テーブル２３の代わりに、ＥＱＭ値に対応するデータの制限伝送レート特性を示す関数を用いて、データの制限伝送レートを導出しても良い。
【００４６】
【発明の効果】
以上説明した様に本発明によれば、通信回線の品位に対応するデータの制限伝送レート特性を記憶手段に記憶しておき、このデータの制限伝送レート特性に基づいて、通信回線の品位に対応するデータの制限伝送レートを設定し、この設定したデータの制限伝送レートを用いて、通信条件を制限している。通信回線の品位の測定は、既存の通信装置で適時に行われている。このため、装置の複雑化を招くことなく、エコーにより低下した通信回線の品位を適時に測定しつつ、データ伝送レートの上限を設定することができ、これにより画像通信エラーを確実に防止して通信時間を短縮化することができる。
【００４７】
また、この様な通信条件の制限をデータ伝送に先立って行っているので、通信エラーを未然に防止することができる。あるいは、この様な通信条件の制限をデータ伝送中に行っているので、通信エラーを随時防止することができる。
【図面の簡単な説明】
【図１】本発明を適用した第１実施形態のファクシミリ通信装置を示すブロック図である。
【図２】第１実施形態における通信条件設定テーブルの内容を示す図である。
【図３】第１実施形態におけるＳ／Ｎ対応通信条件制限テーブルの内容を示す図である。
【図４】第１実施形態のファクシミリ通信装置によるファクシミリ通信手順を示すフローチャートである。
【図５】本発明の第２実施形態のファクシミリ通信装置による通信手順を示すフローチャートである。
【図６】第２実施形態におけるＥＱＭ値対応通信条件制限テーブルの内容を示す図である。
【図７】ＩＴＵ−Ｔの勧告Ｖ．８通信手順、及び該通信手順に引き続く勧告Ｔ．３０通信手順を示す図である。
【符号の説明】
１　　ファクシミリ通信装置
２　　電話回線
３　　網制御部（ＮＣＵ）
４　　ＦＡＸモデム
５　　符号化復号化部（ＤＣＲ）
６　　システムメモリ
７　　ＲＡＭ
８　　スキャナ
９　　印字部
１１　　操作表示部
１２　　画像メモリ
１３　　画像処理部
１４　　バス
１５　　制御部
２１　　通信条件設定テーブル
２２　　Ｓ／Ｎ対応通信条件制限テーブル
２３　　ＥＱＭ値対応通信条件制限テーブル
【図１】
2004032401.tif 000003
【図２】
2004032401.tif 000004
【図３】
2004032401.tif 000005
【図４】
2004032401.tif 000006
【図５】
2004032401.tif 000007
【図６】
2004032401.tif 000008
【図７】
2004032401.tif 000009